【手続補正書】
【提出日】令和1年6月20日(2019.6.20)
【手続補正１】
【補正対象書類名】特許請求の範囲
【補正対象項目名】全文
【補正方法】変更
【補正の内容】
【特許請求の範囲】
【請求項１】
ユーザ機器（ＵＥ）によるワイヤレス通信のための方法であって、
それの中で前記ＵＥが基地局（ＢＳ）と通信する、より広いシステム帯域幅内の少なくとも１つの狭帯域領域上で通信するための、前記ＵＥのためのカバレージ向上（ＣＥ）のレベルを識別することと、ここにおいて、前記狭帯域領域は、前記システム帯域幅において利用可能な合計数よりも少ないリソースブロックをカバーする、および
ＣＥの前記レベルに基づいて、前記ＵＥのモビリティに関係する１つまたは複数のプロシージャを変更するために１つまたは複数のアクションをとることと
を備え、
ここにおいて、前記１つまたは複数のアクションは、ＣＥの所望のレベルの指示を与えること、ＣＥの前記レベルに基づいて無線リンク監視（ＲＬＭ）を変更すること、ＣＥの前記レベルに基づいてＲＬＭを変更すること、ＣＥの所望のレベルの指示として、ＣＥの前記所望のレベルにおいてランダムアクセスチャネル（ＲＡＣＨ）プロシージャを実行すること、ＣＥのいくつかのレベルのためにアイドルモードモビリティのみをサポートすること、およびＣＥの前記レベルに基づいて無線リソース制御（ＲＲＣ）接続解放タイマーが調整されることを引き起こすためのアクションをとること、からなるグループから選択される、方法。
【請求項２】
アクションをとることが、ＣＥの所望のレベルの指示を与えることを備える場合には、ＣＥの前記所望のレベルが、ＣＥの現在のレベルに対して増加される、または
アクションをとることが、ＣＥの所望のレベルの指示を与えることを備える場合には、ＣＥの前記所望のレベルが、現在のセル中でサポートされるＣＥのレベルに対して増加される、請求項１に記載の方法。
【請求項３】
１つまたは複数のアクションをとることが、ＣＥの前記レベルに基づいて無線リンク監視（ＲＬＭ）を変更することを備える場合には、アクションをとることが、ＣＥの前記レベルに基づいて無線リンク障害（ＲＬＦ）を宣言することをさらに備える、請求項６に記載の方法。
【請求項４】
基地局によるワイヤレス通信のための方法であって、
それの中でＵＥが前記基地局と通信する、より広いシステム帯域幅内の少なくとも１つの狭帯域領域上で通信するための、前記ＵＥのためのカバレージ向上（ＣＥ）のレベルを構成することと、ここにおいて、前記狭帯域領域は、前記システム帯域幅において利用可能な合計数よりも少ないリソースブロックをカバーする、および
ＣＥの前記レベルに基づいて、前記ＵＥのモビリティに関連する１つまたは複数のアクションに関係する前記ＵＥからの指示を受信することと
を備え、
ここにおいて、前記１つまたは複数のアクションは、ＣＥの所望のレベルの指示を与えること、ＣＥの前記レベルに基づいて無線リンク監視（ＲＬＭ）を変更すること、ＣＥの前記レベルに基づいてＲＬＭを変更すること、ＣＥの所望のレベルの指示として、ＣＥの前記所望のレベルにおいてランダムアクセスチャネル（ＲＡＣＨ）プロシージャを実行すること、ＣＥのいくつかのレベルのためにアイドルモードモビリティのみをサポートすること、およびＣＥの前記レベルに基づいて無線リソース制御（ＲＲＣ）接続解放タイマーが調整されることを引き起こすためのアクションをとること、からなるグループから選択される、方法。
【請求項５】
ＣＥの前記レベルを構成することが、ＣＥの前記レベルに基づいて１つまたは複数のＲＬＭパラメータを構成することを備える、請求項４に記載の方法。
【請求項６】
指示を受信することが、前記１つまたは複数のＲＬＭパラメータに少なくとも部分的に基づいてＲＬＦ指示を受信することを備える、請求項５に記載の方法。
【請求項７】
前記指示が、ＣＥの所望のレベルの指示として、ＣＥの前記所望のレベルにおいて前記ＵＥからのランダムアクセスチャネル（ＲＡＣＨ）送信を受信することをさらに備える、請求項４に記載の方法。
【請求項８】
ユーザ機器（ＵＥ）によるワイヤレス通信のための装置であって、
それの中で前記ＵＥが基地局（ＢＳ）と通信する、より広いシステム帯域幅内の少なくとも１つの狭帯域領域上で通信するための、前記ＵＥのためのカバレージ向上（ＣＥ）のレベルを識別するための手段と、ここにおいて、前記狭帯域領域は、前記システム帯域幅において利用可能な合計数よりも少ないリソースブロックをカバーする、および
ＣＥの前記レベルに基づいて、前記ＵＥのモビリティに関係する１つまたは複数のプロシージャを変更するために１つまたは複数のアクションをとるための手段と
を備え、
ここにおいて、前記１つまたは複数のアクションは、ＣＥの所望のレベルの指示を与えること、ＣＥの前記レベルに基づいて無線リンク監視（ＲＬＭ）を変更すること、ＣＥの前記レベルに基づいてＲＬＭを変更すること、ＣＥの所望のレベルの指示として、ＣＥの前記所望のレベルにおいてランダムアクセスチャネル（ＲＡＣＨ）プロシージャを実行すること、ＣＥのいくつかのレベルのためにアイドルモードモビリティのみをサポートすること、およびＣＥの前記レベルに基づいて無線リソース制御（ＲＲＣ）接続解放タイマーが調整されることを引き起こすためのアクションをとること、からなるグループから選択される、装置。
【請求項９】
ＣＥの各レベルが、それにより送信が繰り返されるバンドル送信の数に対応する、請求項８に記載の装置。
【請求項１０】
前記１つまたは複数のアクションが、ＣＥの前記レベルに基づいてＲＬＭを変更する場合には、前記１つまたは複数のアクションをとるための前記手段が、ＣＥの前記レベルに基づいて無線リンク障害（ＲＬＦ）を宣言することによって１つまたは複数のアクションをとるようにさらに構成された、請求項８に記載の装置。
【請求項１１】
基地局によるワイヤレス通信のための装置であって、
それの中でユーザ機器（ＵＥ）が前記基地局と通信する、より広いシステム帯域幅内の少なくとも１つの狭帯域領域上で通信するための、前記ＵＥのためのカバレージ向上（ＣＥ）のレベルを構成するための手段と、ここにおいて、前記狭帯域領域は、前記システム帯域幅において利用可能な合計数よりも少ないリソースブロックをカバーする、および
ＣＥの前記レベルに基づいて、前記ＵＥのモビリティに関係する１つまたは複数のアクションに関係する前記ＵＥからの指示を受信するための手段と
を備え、
ここにおいて、前記１つまたは複数のアクションは、ＣＥの所望のレベルの指示を与えること、ＣＥの前記レベルに基づいて無線リンク監視（ＲＬＭ）を変更すること、ＣＥの前記レベルに基づいてＲＬＭを変更すること、ＣＥの所望のレベルの指示として、ＣＥの前記所望のレベルにおいてランダムアクセスチャネル（ＲＡＣＨ）プロシージャを実行すること、ＣＥのいくつかのレベルのためにアイドルモードモビリティのみをサポートすること、およびＣＥの前記レベルに基づいて無線リソース制御（ＲＲＣ）接続解放タイマーが調整されることを引き起こすためのアクションをとること、からなるグループから選択される、装置。
【請求項１２】
ＣＥの前記レベルに基づいて１つまたは複数のＲＬＭパラメータを構成するための手段をさらに備える、請求項１１に記載の装置。
【請求項１３】
受信するための前記手段が、前記１つまたは複数のＲＬＭパラメータに少なくとも部分的に基づいてＲＬＦ指示を受信するようにさらに構成された、請求項１２に記載の装置。
【請求項１４】
受信するための前記手段が、ＣＥの所望のレベルの指示として、ＣＥの前記所望のレベルにおいて前記ＵＥからのランダムアクセスチャネル（ＲＡＣＨ）送信を受信するようにさらに構成された、請求項１１に記載の装置。
【請求項１５】
コンピュータで実行されると、請求項１ないし７のいずれかに記載の方法のステップをを行うための命令を備える、コンピュータプログラム。
【手続補正２】
【補正対象書類名】明細書
【補正対象項目名】００９１
【補正方法】変更
【補正の内容】
【００９１】
[0097]本開示についての以上の説明は、いかなる当業者も本開示を作成または使用することができるように与えられたものである。本開示への様々な変更は当業者には容易に明らかになり、本明細書で定義された一般原理は、本開示の趣旨または範囲から逸脱することなく他の変形形態に適用され得る。したがって、本開示は、本明細書で説明された例および設計に限定されるものではなく、本明細書で開示された原理および新規の特徴に合致する最も広い範囲を与えられるべきである。
以下に本願の出願当初の特許請求の範囲に記載された発明を付記する。
［Ｃ１］  ユーザ機器（ＵＥ）によるワイヤレス通信のための方法であって、
それの中で前記ＵＥが基地局（ＢＳ）と通信する、より広いシステム帯域幅内の少なくとも１つの狭帯域領域上で通信するための、前記ＵＥのためのカバレージ向上（ＣＥ）のレベルを識別することと、および
ＣＥの前記レベルに基づいて、前記ＵＥのモビリティに関係する１つまたは複数のプロシージャを変更するために１つまたは複数のアクションをとることと
を備える、方法。
［Ｃ２］  ＣＥの各レベルが、それにより送信が繰り返されるバンドル送信の数に対応する、Ｃ１に記載の方法。
［Ｃ３］  アクションをとることが、ＣＥの所望のレベルの指示を与えることを備える、Ｃ１に記載の方法。
［Ｃ４］  ＣＥの前記所望のレベルが、ＣＥの現在のレベルに対して増加される、Ｃ３に記載の方法。
［Ｃ５］  ＣＥの前記所望のレベルが、現在のセル中でサポートされるＣＥのレベルに対して増加される、Ｃ３に記載の方法。
［Ｃ６］  １つまたは複数のアクションをとることが、ＣＥの前記レベルに基づいて無線リンク監視（ＲＬＭ）を変更することを備える、Ｃ１に記載の方法。
［Ｃ７］  アクションをとることが、ＣＥの前記レベルに基づいて無線リンク障害（ＲＬＦ）を宣言することを備える、Ｃ６に記載の方法。
［Ｃ８］  アクションをとることが、ＣＥの所望のレベルの指示として、ＣＥの前記所望のレベルにおいてランダムアクセスチャネル（ＲＡＣＨ）プロシージャを実行することを備える、Ｃ１に記載の方法。
［Ｃ９］  アクションをとることが、ＣＥのいくつかのレベルのためにアイドルモードモビリティのみをサポートすることを備える、Ｃ１に記載の方法。
［Ｃ１０］  アクションをとることが、ＣＥの前記レベルに基づいて無線リソース制御（ＲＲＣ）接続解放タイマーが調整されることを引き起こすためのアクションをとることを備える、Ｃ１に記載の方法。
［Ｃ１１］  基地局によるワイヤレス通信のための方法であって、
それの中でＵＥが前記基地局と通信する、より広いシステム帯域幅内の少なくとも１つの狭帯域領域上で通信するための、前記ＵＥのためのカバレージ向上（ＣＥ）のレベルを構成することと、および
ＣＥの前記レベルに基づいて、前記ＵＥのモビリティに関連する１つまたは複数のアクションに関係する前記ＵＥからの指示を受信することと
を備える、方法。
［Ｃ１２］  ＣＥの前記レベルを構成することが、ＣＥの前記レベルに基づいて１つまたは複数のＲＬＭパラメータを構成することを備える、Ｃ１１に記載の方法。
［Ｃ１３］  指示を受信することが、前記１つまたは複数のＲＬＭパラメータに少なくとも部分的に基づいてＲＬＦ指示を受信することを備える、Ｃ１２に記載の方法。
［Ｃ１４］  前記指示が、ＣＥの所望のレベルの指示として、ＣＥの前記所望のレベルにおいて前記ＵＥからのランダムアクセスチャネル（ＲＡＣＨ）送信を受信することをさらに備える、Ｃ１１に記載の方法。
［Ｃ１５］  ユーザ機器（ＵＥ）によるワイヤレス通信のための装置であって、
それの中で前記ＵＥが基地局（ＢＳ）と通信する、より広いシステム帯域幅内の少なくとも１つの狭帯域領域上で通信するための、前記ＵＥのためのカバレージ向上（ＣＥ）のレベルを識別することと、および
ＣＥの前記レベルに基づいて、前記ＵＥのモビリティに関係する１つまたは複数のプロシージャを変更するために１つまたは複数のアクションをとることと、および
を行うように構成された少なくとも１つのプロセッサと、
前記少なくとも１つのプロセッサと結合されたメモリと
を備える、装置。
［Ｃ１６］  ＣＥの各レベルが、それにより送信が繰り返されるバンドル送信の数に対応する、Ｃ１５に記載の装置。
［Ｃ１７］  前記少なくとも１つのプロセッサが、ＣＥの所望のレベルの指示を与えることによって１つまたは複数のアクションを前記とるように構成された、Ｃ１５に記載の装置。
［Ｃ１８］  ＣＥの前記所望のレベルが、ＣＥの現在のレベルに対して増加される、Ｃ１７に記載の装置。
［Ｃ１９］  ＣＥの前記所望のレベルが、現在のセル中でサポートされるＣＥのレベルに対して増加される、Ｃ１７に記載の装置。
［Ｃ２０］  前記少なくとも１つのプロセッサが、ＣＥの前記レベルに基づいて無線リンク監視（ＲＬＭ）を変更することによって１つまたは複数のアクションをとるように構成された、Ｃ１５に記載の装置。
［Ｃ２１］  前記少なくとも１つのプロセッサが、ＣＥの前記レベルに基づいて無線リンク障害（ＲＬＦ）を宣言することによって１つまたは複数のアクションをとるように構成された、Ｃ２０に記載の装置。
［Ｃ２２］  前記少なくとも１つのプロセッサが、ＣＥの所望のレベルの指示として、ＣＥの前記所望のレベルにおいてランダムアクセスチャネル（ＲＡＣＨ）プロシージャを実行することによって１つまたは複数のアクションをとるように構成された、Ｃ１５に記載の装置。
［Ｃ２３］  前記少なくとも１つのプロセッサが、ＣＥのいくつかのレベルのためにアイドルモードモビリティのみをサポートすることによって１つまたは複数のアクションをとるように構成された、Ｃ１５に記載の装置。
［Ｃ２４］  前記少なくとも１つのプロセッサが、ＣＥの前記レベルに基づいて無線リソース制御（ＲＲＣ）接続解放タイマーが調整されることを引き起こすためのアクションをとることによって１つまたは複数のアクションをとるように構成された、Ｃ１５に記載の装置。
［Ｃ２５］  基地局によるワイヤレス通信のための装置であって、
それの中でＵＥが基地局（ＢＳ）と通信する、より広いシステム帯域幅内の少なくとも１つの狭帯域領域上で通信するための、前記ＵＥのためのカバレージ向上（ＣＥ）のレベルを構成することと、および
ＣＥの前記レベルに基づいて、前記ＵＥのモビリティに関連する１つまたは複数のアクションに関係する前記ＵＥからの指示を受信することと
を行うように構成された少なくとも１つのプロセッサ
を備える、装置。
［Ｃ２６］  前記少なくとも１つのプロセッサが、ＣＥの前記レベルに基づいて１つまたは複数のＲＬＭパラメータを構成するようにさらに構成された、Ｃ２５に記載の装置。
［Ｃ２７］  前記少なくとも１つのプロセッサが、前記１つまたは複数のＲＬＭパラメータに少なくとも部分的に基づいてＲＬＦ指示を受信するようにさらに構成された、Ｃ２６に記載の装置。
［Ｃ２８］  前記少なくとも１つのプロセッサが、ＣＥの所望のレベルの指示として、ＣＥの前記所望のレベルにおいて前記ＵＥからのランダムアクセスチャネル（ＲＡＣＨ）送信を受信するようにさらに構成された、Ｃ２５に記載の装置。
［Ｃ２９］  ユーザ機器（ＵＥ）によるワイヤレス通信のための装置であって、
それの中で前記ＵＥが基地局（ＢＳ）と通信する、より広いシステム帯域幅内の少なくとも１つの狭帯域領域上で通信するための、前記ＵＥのためのカバレージ向上（ＣＥ）のレベルを識別するための手段と、および
ＣＥの前記レベルに基づいて、前記ＵＥのモビリティに関係する１つまたは複数のプロシージャを変更するために１つまたは複数のアクションをとるための手段と
を備える、装置。
［Ｃ３０］  ＣＥの各レベルが、それにより送信が繰り返されるバンドル送信の数に対応する、Ｃ２９に記載の装置。
［Ｃ３１］  前記１つまたは複数のアクションをとるための前記手段が、ＣＥの所望のレベルの指示を与えることによって１つまたは複数のアクションを前記とるように構成された、Ｃ２９に記載の装置。
［Ｃ３２］  前記１つまたは複数のアクションをとるための前記手段が、ＣＥの前記レベルに基づいて無線リンク監視（ＲＬＭ）を変更することによって１つまたは複数のアクションをとるように構成された、Ｃ２９に記載の装置。
［Ｃ３３］  前記１つまたは複数のアクションをとるための前記手段が、ＣＥの前記レベルに基づいて無線リンク障害（ＲＬＦ）を宣言することによって１つまたは複数のアクションをとるように構成された、Ｃ３２に記載の装置。
［Ｃ３４］  前記１つまたは複数のアクションをとるための前記手段が、ＣＥの所望のレベルの指示として、ＣＥの前記所望のレベルにおいてランダムアクセスチャネル（ＲＡＣＨ）プロシージャを実行することによって１つまたは複数のアクションをとるように構成された、Ｃ２９に記載の装置。
［Ｃ３５］  前記１つまたは複数のアクションをとるための前記手段が、ＣＥのいくつかのレベルのためにアイドルモードモビリティのみをサポートすることによって１つまたは複数のアクションをとるように構成された、Ｃ２９に記載の装置。
［Ｃ３６］  前記１つまたは複数のアクションをとるための前記手段が、ＣＥの前記レベルに基づいて無線リソース制御（ＲＲＣ）接続解放タイマーが調整されることを引き起こすためのアクションをとることによって１つまたは複数のアクションをとるように構成された、Ｃ２９に記載の装置。
［Ｃ３７］  基地局によるワイヤレス通信のための装置であって、
それの中でＵＥが前記基地局と通信する、より広いシステム帯域幅内の少なくとも１つの狭帯域領域上で通信するための、前記ＵＥのためのカバレージ向上（ＣＥ）のレベルを構成するための手段と、および
ＣＥの前記レベルに基づいて、前記ＵＥのモビリティに関係する１つまたは複数のアクションに関係する前記ＵＥからの指示を受信するための手段と
を備える、装置。
［Ｃ３８］  ＣＥの前記レベルに基づいて１つまたは複数のＲＬＭパラメータを構成するための手段をさらに備える、Ｃ３７に記載の装置。
［Ｃ３９］  受信するための前記手段が、前記１つまたは複数のＲＬＭパラメータに少なくとも部分的に基づいてＲＬＦ指示を受信するようにさらに構成された、Ｃ３８に記載の装置。
［Ｃ４０］  受信するための前記手段が、ＣＥの所望のレベルの指示として、ＣＥの前記所望のレベルにおいて前記ＵＥからのランダムアクセスチャネル（ＲＡＣＨ）送信を受信するようにさらに構成された、Ｃ３７に記載の装置。
［Ｃ４１］  ユーザ機器（ＵＥ）によるワイヤレス通信のための非一時的コンピュータ可読媒体であって、ここにおいて、前記非一時的コンピュータ可読媒体は、
それの中で前記ＵＥが基地局（ＢＳ）と通信する、より広いシステム帯域幅内の少なくとも１つの狭帯域領域上で通信するための、前記ＵＥのためのカバレージ向上（ＣＥ）のレベルを識別することと、および
ＣＥの前記レベルに基づいて、前記ＵＥのモビリティに関係する１つまたは複数のプロシージャを変更するために１つまたは複数のアクションをとることと
を行うための命令を備える、非一時的コンピュータ可読媒体。
［Ｃ４２］  基地局によるワイヤレス通信のための非一時的コンピュータ可読媒体であって、ここにおいて、前記非一時的コンピュータ可読媒体は、
それの中でＵＥが前記基地局と通信する、より広いシステム帯域幅内の少なくとも１つの狭帯域領域上で通信するための、前記ＵＥのためのカバレージ向上（ＣＥ）のレベルを構成することと、
ＣＥの前記レベルに基づいて、前記ＵＥのモビリティに関係する１つまたは複数のアクションに関係する前記ＵＥからの指示を受信することと
を行うための命令を備える、非一時的コンピュータ可読媒体。